(57)【要約】【課題】コルゲートチューブに引っ張り力が作用した場合であっても、上下に分割されたカバーの係止部が損傷されることを防ぐことができるコネクタカバーを提供すること。【解決手段】コネクタハウジング１００の電線Ｗの引き出し側の端部およびコルゲートチューブＣの端部を挟み込む上下に分割されたカバーのうちの下側のカバーであり、コルゲートチューブＣの両側部を弾性的に保持するようにコルゲートチューブＣが載置される内面が円弧状のチューブ載置壁１４の両側壁１４ａから上方に突設された一対の弾性保持アーム２０を有する下側カバー１０と、下側カバー１０と互いの係止部を係止させることによって下側カバー１０に結合固定された状態で、一対の弾性保持アーム２０の電線Ｗの引き出し方向に直交する各側面２０ｃに対峙する面４０ａを有して一対の弾性保持アーム２０を収容する一対のアーム収容部４０を有する上側カバー３０と、を有する。【選択図】図１
2019050146.tif 000002
【特許請求の範囲】
【請求項１】
コネクタハウジングの電線の引き出し側の端部および前記コネクタハウジングから引き出された前記電線を保護収容するコルゲートチューブの端部を挟み込むように組み付けられる上下に分割されたカバーのうちの下側のカバーであり、前記コルゲートチューブの両側部を弾性的に保持するように前記コルゲートチューブが載置される内面が円弧状のチューブ載置壁の両側壁から上方に突設された一対の弾性保持アームを有する下側カバーと、
前記下側カバーと互いの係止部を係止させることによって前記下側カバーに結合固定された状態で、前記一対の弾性保持アームの前記電線の引き出し方向に直交する各側面に対峙する面を有して前記一対の弾性保持アームを収容する一対のアーム収容部を有する上側カバーと、
を有する
ことを特徴とするコネクタカバー。
【請求項２】
前記一対の弾性保持アームは、
前記コルゲートチューブの蛇腹形状の凹部に嵌るように前記チューブ載置壁の内面に形成されたコルゲート係合突条部に連続するように内面にアーム側コルゲート係合突条部が形成されている
ことを特徴とする請求項１に記載のコネクタカバー。
【請求項３】
前記チューブ載置壁の前記両側壁の外面から前記一対の弾性保持アームの外面にかけて連続したリブが形成されている
ことを特徴とする請求項１または２に記載のコネクタカバー。
【請求項４】
前記一対の弾性保持アームは、
前記チューブ載置壁に載置された前記コルゲートチューブの外周面に対して前記チューブ載置壁の前記両側壁に比して間隔を拡大して設けられ、
前記上側カバーは、
前記下側カバーに結合固定された状態で、前記一対の弾性保持アームに押圧されることによって、前記一対の弾性保持アームを前記コルゲートチューブの前記外周面との間隔を狭めるように内側に撓ませる一対の変位凸部が前記アーム収容部の内面に設けられている
ことを特徴とする請求項２に記載のコネクタカバー。
【請求項５】
前記アーム側コルゲート係合突条部は、
前記一対の変位凸部によって前記一対の弾性保持アームを内側に撓ませ易くするスリットが形成されている
ことを特徴とする請求項４に記載のコネクタカバー。
【発明の詳細な説明】
【技術分野】
【０００１】
本発明は、コネクタハウジングの電線の引き出し側の端部およびコルゲートチューブの端部を挟み込むように組み付けられる上下に分割されたコネクタカバーに関する。
【背景技術】
【０００２】
従来、例えば、車両等に配策されるワイヤハーネスのコネクタに用いられるコネクタカバーは、コネクタハウジングの電線引き出し側の端部とコルゲートチューブの端部と挟み込むように組み付けられる上下のカバーに分割された部品になっている。
例えば、特許文献１および特許文献２には、上側カバーと下側カバーとが係止固定されるコネクタカバーが記載されている。
【先行技術文献】
【特許文献】
【０００３】
【特許文献１】特開２０１７−１０７５４号公報
【特許文献２】特開２００７−２２０６９１号公報
【発明の概要】
【発明が解決しようとする課題】
【０００４】
しかしながら、特許文献１に記載のコネクタカバーは、運搬時、あるいは、ワイヤハーネスの車両への配策時に、図１８に示すように、コネクタカバーＡの一部（図１８中の円で囲った部分）が引っ掛かった状態でコルゲートチューブＣに引っ張り力が作用した場合、上下に分割されたカバーの係止部Ｂに負荷がかかり損傷されるおそれがあった。
【０００５】
また、特許文献２に記載のコネクタカバーは、コルゲートチューブを仮保持するように下側のカバーに設けられた仮保持突起によってコルゲートチューブが下側のカバーにより安定的に保持されるようになっているので、コルゲートチューブに引っ張り力が作用された場合、特許文献１のコネクタカバーと同様に、上下に分割されたカバーの係止部に負荷がかかり損傷され易い。
【０００６】
本発明は、上記に鑑みてなされたものであって、コルゲートチューブに引っ張り力が作用した場合であっても、上下に分割されたカバーの係止部が損傷されることを防ぐことができるコネクタカバーを提供することを目的とする。
【課題を解決するための手段】
【０００７】
上述した課題を解決し、目的を達成するために、本発明の請求項１に係るコネクタカバーは、コネクタハウジングの電線の引き出し側の端部および前記コネクタハウジングから引き出された前記電線を保護収容するコルゲートチューブの端部を挟み込むように組み付けられる上下に分割されたカバーのうちの下側のカバーであり、前記コルゲートチューブの両側部を弾性的に保持するように前記コルゲートチューブが載置される内面が円弧状のチューブ載置壁の両側壁から上方に突設された一対の弾性保持アームを有する下側カバーと、前記下側カバーと互いの係止部を係止させることによって前記下側カバーに結合固定された状態で、前記一対の弾性保持アームの前記電線の引き出し方向に直交する各側面に対峙する面を有して前記一対の弾性保持アームを収容する一対のアーム収容部を有する上側カバーと、を有することを特徴とする。
【０００８】
また、本発明の請求項２に係るコネクタカバーは、上記の発明において、前記一対の弾性保持アームが、前記コルゲートチューブの蛇腹形状の凹部に嵌るように前記チューブ載置壁の内面に形成されたコルゲート係合突条部に連続するように内面にアーム側コルゲート係合突条部が形成されていることを特徴とする。
【０００９】
また、本発明の請求項３に係るコネクタカバーは、上記の発明において、前記チューブ載置壁の前記両側壁の外面から前記一対の弾性保持アームの外面にかけて連続したリブが形成されていることを特徴とする。
【００１０】
また、本発明の請求項４に係るコネクタカバーは、上記の発明において、前記一対の弾性保持アームが、前記チューブ載置壁に載置された前記コルゲートチューブの外周面に対して前記チューブ載置壁の前記両側壁に比して間隔を拡大して設けられ、前記上側カバーが、前記下側カバーに結合固定された状態で、前記一対の弾性保持アームに押圧されることによって、前記一対の弾性保持アームを前記コルゲートチューブの前記外周面との間隔を狭めるように内側に撓ませる一対の変位凸部が前記アーム収容部の内面に設けられていることを特徴とする。
【００１１】
また、本発明の請求項５に係るコネクタカバーは、上記の発明において、前記アーム側コルゲート係合突条部が、前記一対の変位凸部によって前記一対の弾性保持アームを内側に撓ませ易くするスリットが形成されていることを特徴とする。
【発明の効果】
【００１２】
本発明に係るコネクタカバーは、前記下側カバーと前記上側カバーとが互いの前記係止部を係止させて連結固定されることによって、前記下側カバーの前記一対の弾性保持アームが前記コルゲートチューブの両側部を保持するとともに、前記一対の弾性保持アームが前記上側カバーの前記アーム収容部に収容される。
これにより、本発明に係るコネクタカバーは、前記コルゲートチューブに引っ張り力が作用された場合、前記一対の弾性保持アームの前記電線の引き出し方向に直交する各側面が前記アーム収容部の前記各側面に対峙する面に突き当てられ、前記係止部に負荷される前記引っ張り力を分散して吸収することができるので、コルゲートチューブに引っ張り力が作用した場合であっても、上下に分割されたカバーの係止部が損傷されることを防ぐことができる。
【図面の簡単な説明】
【００１３】
【図１】図１は、本発明の実施例１に係るコネクタカバーの上側カバーと下側カバーとをコネクタハウジングの端部およびコルゲートチューブの端部を挟み込むように組み付ける前の状態を示した図である。
【図２】図２は、本発明の実施例１に係るコネクタカバーの上側カバーと下側カバーとをコネクタハウジングの端部およびコルゲートチューブの端部を挟み込むように組み付けた状態を示した図である。
【図３】図３は、互いに係止される向きで向かい合った状態の上側カバーおよび下側カバーの断面図である。
【図４】図４は、上側カバーと下側カバーとが係止された状態のコネクタカバーの断面図である。
【図５】図５は、下側カバーを異なる方向から視た複数の図であり、（ａ）が斜視図であり、（ｂ）が上面図であり、（ｃ）がコネクタハウジングと連結される側から視た図であり、（ｄ）が側面図である。
【図６】図６は、上側カバーを異なる方向から視た複数の図であり、（ａ）が斜視図であり、（ｂ）が下側から視た図であり、（ｃ）がコネクタハウジングと連結される側から視た図であり、（ｄ）が側面図である。
【図７】図７は、（ａ１）が下側カバーにコルゲートチューブをセットする前の状態を示した斜視図であり、（ａ２）が（ａ１）の状態を（Ａ）に示したＡ−Ａ線の断面位置で示した図であり、（ｂ１）が下側カバーの一対の弾性保持アームの間にコルゲートチューブが挿入された状態を示した斜視図であり、（ｂ２）が（ｂ１）の状態を（Ａ）に示したＡ−Ａ線の断面位置で示した図であり、（ｃ１）が下側カバーにコルゲートチューブをセット完了した状態を示した斜視図であり、（ｃ２）が（ｃ１）の状態を（Ａ）に示したＡ−Ａ線の断面位置で示した図である。
【図８】図８は、（ａ１）が上側カバーと下側カバーとを互いに係止する向きで向かい合わせた状態を示した斜視図であり、（ａ２）が（ａ１）の状態を（Ａ）に示したＡ−Ａ線の断面位置で示した図であり、（ａ３）が（ａ１）の状態を（Ｂ）に示したＢ−Ｂ線の断面位置で示した図であり、（ｂ１）が上側カバーを下側カバーに係止する向きに移動開始した状態を示した斜視図であり、（ｂ２）が（ｂ１）の状態を（Ａ）に示したＡ−Ａ線の断面位置で示した図であり、（ｂ３）が（ｂ１）の状態を（Ｂ）に示したＢ−Ｂ線の断面位置で示した図である。
【図９】図９は、（ｃ１）が（ｂ１）の状態からさらに上側カバーを下側カバーに係止する向きに移動した状態を示した斜視図であり、（ｃ２）が（ｃ１）の状態を（Ａ）に示したＡ−Ａ線の断面位置で示した図であり、（ｃ３）が（ｃ１）の状態を（Ｂ）に示したＢ−Ｂ線の断面位置で示した図であり、（ｄ１）が上側カバーと下側カバーとを係止完了した状態を示した斜視図であり、（ｄ２）が（ｄ１）の状態を（Ａ）に示したＡ−Ａ線の断面位置で示した図であり、（ｄ３）が（ｄ１）の状態を（Ｂ）に示したＢ−Ｂ線の断面位置で示した図である。
【図１０】図１０は、本発明の実施例２に係るコネクタカバーの上側カバーと下側カバーとをコネクタハウジングの端部およびコルゲートチューブの端部を挟み込むように組み付ける前の状態を示した図である。
【図１１】図１１は、（ａ）が上側カバーの斜視図であり、（ｂ）が下側カバーの斜視図である。
【図１２】図１２は、（ａ１）が上側カバーと下側カバーとを互いに係止する向きで向かい合わせた状態を示した斜視図であり、（ａ２）が（ａ１）の状態を（Ａ）に示したＡ−Ａ線の断面位置で示した図であり、（ｂ１）が上側カバーを下側カバーに係止する向きに移動開始した状態を示した斜視図であり、（ｂ２）が（ｂ１）の状態を（Ａ）に示したＡ−Ａ線の断面位置で示した図であり、（ｃ１）が上側カバーと下側カバーとを係止完了した状態を示した斜視図であり、（ｃ２）が（ｃ１）の状態を（Ａ）に示したＡ−Ａ線の断面位置で示した図である。
【図１３】図１３は、本発明の実施例３に係るコネクタカバーの上側カバーと下側カバーとをコネクタハウジングの端部およびコルゲートチューブの端部を挟み込むように組み付ける前の状態を示した図である。
【図１４】図１４は、（ａ）が本発明の実施例３に係るコネクタカバーの上側カバーと下側カバーとをコネクタハウジングの端部およびコルゲートチューブの端部を挟み込むように組み付けた状態の上面図であり、（ｂ）が（ａ）に示した図の下側カバーと下側カバーにセットされたコルゲートチューブのＢ−Ｂ線断面図である。
【図１５】図１５は、上側カバーの斜視図である。
【図１６】図１６は、（ａ１）が下側カバーにコルゲートチューブをセットする前の状態を示した斜視図であり、（ａ２）が（ａ１）の状態を（Ａ）に示したＡ−Ａ線の断面位置で示した図であり、（ｂ１）が下側カバーにコルゲートチューブをセット完了した状態を示した斜視図であり、（ｂ２）が（ｂ１）の状態を（Ｂ）に示したＢ−Ｂ線の断面位置で示した図である。
【図１７】図１７は、（ｃ１）が上側カバーを下側カバーに係止する向きに移動開始した状態を示した斜視図であり、（ｃ２）が（ｃ１）の状態を（Ｃ）に示したＣ−Ｃ線の断面位置で示した図であり、（ｄ１）が上側カバーと下側カバーとを係止完了した状態を示した斜視図であり、（ｄ２）が（ｄ１）の状態を（Ｄ）に示したＤ−Ｄ線の断面位置で示した図である。
【図１８】図１８は、従来技術の問題点を説明するための図である。
【発明を実施するための形態】
【００１４】
以下、図面を参照して、本発明に係るコネクタカバーの好適な実施例を詳細に説明する。
【実施例１】
【００１５】
図１は、本発明の実施例１に係るコネクタカバー１の上側カバー３０と下側カバー１０とをコネクタハウジング１００の端部およびコルゲートチューブＣの端部を挟み込むように組み付ける前の状態を示した図である。図２は、本発明の実施例１に係るコネクタカバー１の上側カバー３０と下側カバー１０とをコネクタハウジング１００の端部およびコルゲートチューブＣの端部を挟み込むように組み付けた状態を示した図である。図３は、互いに係止される向きで向かい合った状態の上側カバー３０および下側カバー１０の断面図である。図４は、上側カバー３０と下側カバー１０とが係止された状態のコネクタカバー１の断面図である。図５は、下側カバー１０を異なる方向から視た複数の図であり、（ａ）が斜視図であり、（ｂ）が上面図であり、（ｃ）がコネクタハウジング１００と連結される側から視た図であり、（ｄ）が側面図である。図６は、上側カバー３０を異なる方向から視た複数の図であり、（ａ）が斜視図であり、（ｂ）が下側から視た図であり、（ｃ）がコネクタハウジング１００と連結される側から視た図であり、（ｄ）が側面図である。
本発明の実施例１に係るコネクタカバー１は、コネクタハウジング１００の電線Ｗの引き出し側の端部およびコネクタハウジング１００から引き出された電線Ｗを保護収容するコルゲートチューブＣの端部を挟み込むように組み付けられる上下に分割された下側カバー１０および上側カバー３０を有する。
【００１６】
まず、下側カバー１０について説明する。
下側カバー１０は、絶縁性材からなり、上面がコネクタハウジング１００の端部、および、コルゲートチューブＣの端部を内部に収容できるように開口された略箱型形状をなしている。
【００１７】
この下側カバー１０は、コネクタハウジング１００の電線Ｗの引き出し側の端部に連結されるコネクタ連結部１１と、コルゲートチューブＣに連結されるチューブ連結部１３と、コネクタ連結部１１とチューブ連結部１３との間を繋ぐ中間部１７と、を有する。
【００１８】
中間部１７は、底壁１７ａと底壁１７ａの両端縁に沿って立設された一対の側壁１７ｂ、１７ｂとを有し、電線Ｗの引き出し方向の一端側にコネクタ連結部１１が連接され、他端側にチューブ連結部１３が連接されている。
【００１９】
この中間部１７は、底壁１７ａに側壁１７ｂの一部を合わせて閉じた空間を形成するようにして立設された壁によって、上側カバー３０の後述する一対のガタ抑えリブ３８、３８を収容する一対のリブ収容部１７ｃ、１７ｃが形成されている。
【００２０】
一対のリブ収容部１７ｃ、１７ｃを形成する壁は、コネクタハウジング１００の端部から引き出された電線Ｗをチューブ連結部１３側に誘導するようになっている。
【００２１】
また、中間部１７は、一対の側壁１７ｂ、１７ｂのそれぞれの外面に上側カバー３０との組み付け方向に沿って上端から下端に向けて延びる凹部１７ｂｂが設けられ、その凹部１７ｂｂに上側カバー３０を係止する係止部としての係止突起１８が設けられている。
【００２２】
コネクタ連結部１１は、中間部１７の一対の側壁１７ｂ、１７ｂを延在するように各側壁１７ｂの端部から片状に突出された一対の係止片部１２、１２を有する。
【００２３】
一対の係止片部１２、１２は、互いに向かい合う面にコネクタハウジング１００の端部に設けられた係止突起１１０が嵌め込まれる係止溝１２ａが設けられている。
【００２４】
チューブ連結部１３は、コルゲートチューブＣが載置される内面が円弧状のチューブ載置壁１４が設けられたチューブ収容本体部１５と、チューブ載置壁１４に載置されたコルゲートチューブＣの両側部を弾性的に保持する一対の弾性保持アーム２０、２０と、上側カバー３０を係止する係止部としての一対の係止突起１６、１６と、を有する。
【００２５】
チューブ収容本体部１５は、中間部１７とチューブ載置壁１４との境界位置にコルゲートチューブＣの端部を突き当てて位置決めするための位置決め壁１４ｃが設けられている。
【００２６】
また、チューブ載置壁１４の円弧状の内面には、コルゲートチューブＣの蛇腹形状の凹部に嵌るように複数のコルゲート係合突条部１４ｂが設けられている。
【００２７】
一対の弾性保持アーム２０、２０は、コルゲートチューブＣの両側部を弾性的に保持するようにチューブ載置壁１４の両側壁１４ａ、１４ａの上端面から上方に向けて突設されている。
【００２８】
この一対の弾性保持アーム２０、２０は、コルゲートチューブＣの蛇腹形状の凹部に嵌るようにチューブ載置壁１４の内面に形成された複数のコルゲート係合突条部１４ｂに連続するように内面に複数のアーム側コルゲート係合突条部２０ａが形成されている。
アーム側コルゲート係合突条部２０ａは、一対の弾性保持アーム２０の剛性を高める機能、あるいは、後述するアーム収容部４０に突き当てられる側面２０ｃとして機能させることができるようになっている。
【００２９】
また、一対の弾性保持アーム２０、２０は、上端部に内側に向けて突出したチューブ固定突起２０ｂが設けられている。
【００３０】
また、一対の弾性保持アーム２０、２０は、それぞれのチューブ固定突起２０ｂの頂点の間隔がコルゲートチューブＣの最外径よりも小さくなるように設定されている。
【００３１】
一対の係止突起１６、１６は、チューブ載置壁１４の両側壁１４ａ、１４ａのそれぞれの外面に上側カバー３０との組み付け方向に沿って上端から下端に向けて延びる凹部１４ａａの底面にそれぞれ突設されている。
【００３２】
なお、各係止突起１６は、弾性保持アーム２０の根元位置で上側カバー３０との組み付け方向に沿って弾性保持アーム２０に並んで設けられている。
また、係止突起１６が設けられる凹部１４ａａの底面と弾性保持アーム２０の外面とは上下に直線的に延びる面一な面をなしている。
【００３３】
次に、上側カバー３０について説明する。
上側カバー３０は、絶縁性材からなり、下側カバー１０の開口１０ａを塞ぐように略板状をなしている。
【００３４】
この上側カバー３０は、コネクタハウジングＣの電線Ｗの引き出し側の端部に連結されるコネクタ連結部３１と、コルゲートチューブＣに連結されるチューブ連結部３２と、コネクタ連結部３１とチューブ連結部３２との間を繋ぐ中間部３６と、を有する。
【００３５】
中間部３６は、天井壁３６ａと天井壁３６ａの両端縁に立設された一対の係止アーム部３７、３７と、一対のガタ抑えリブ３８、３８と、を有する。
【００３６】
一対の係止アーム部３７、３７は、端部に下側カバー１０の中間部１７に設けられた一対の係止突起１８、１８に係止部として係止する。
この一対の係止アーム部３７、３７は、端部に係止突起３７ａが設けられている。
【００３７】
一対のガタ抑えリブ３８、３８は、天井壁３６ａの内面に突設され、上側カバー３０と下側カバー１０とが結合固定された状態で下側カバー１０の一対のリブ収容部１７ｃ、１７ｃに収容されることによって、上側カバー３０と下側カバー１０との結合状態でのガタを抑える機能をなしている。
【００３８】
コネクタ連結部３１は、中間部３６の天井壁３６ａの両側部から片状に突出された一対の片部３１ａ、３１ａを有する。
一対の片部３１ａ、３１ａは、下側カバー１０の一対の係止片部１２、１２の上端縁面に重なるようにしてコネクタハウジング１００の端部に被せられる部分である。
【００３９】
チューブ連結部３２は、下側カバー１０のチューブ載置壁１４の円弧状の内面を連続するようにチューブ載置壁１４に載置されたコルゲートチューブＣの下側カバー１０の開口１０ａから露出された部分を覆う内面が円弧状のチューブ覆い壁３３が設けられたチューブ覆い本体部３４と、下側カバー１０の一対の係止突起１６、１６に係止する係止部としての一対の係止アーム部３５、３５と、一対の弾性保持アーム２０、２０を収容する一対のアーム収容部４０、４０を有する。
【００４０】
チューブ覆い壁３３の円弧状の内面には、コルゲートチューブＣの蛇腹形状の凹部に嵌るように複数のコルゲート係合突条部３３ｂが設けられている。
【００４１】
一対の係止アーム部３５、３５は、チューブ覆い壁３３の両側壁３３ａ、３３ａの下端面に突設され、端部に下側カバー１０のチューブ連結部１３に設けられた一対の係止突起１６、１６と係止する係止突起３５ａが設けられている。
【００４２】
一対のアーム収容部４０、４０は、上側カバー３０と下側カバー１０とが互いの係止部１６、１８、を係止させることによって結合固定された状態で、一対の弾性保持アーム２０、２０の電線Ｗの引き出し方向に直交する各側面２０ｃに対峙する面４０ａを有して一対の弾性保持アーム２０、２０を収容する部分である。
【００４３】
各アーム収容部４０は、より具体的には、チューブ覆い壁３３の側壁３３ａ内面に弾性保持アーム２０の電線引き出し方向での幅よりも僅かに大きい幅で形成された凹部である。
【００４４】
次に、図７を用いて、下側カバー１０にコルゲートチューブＣをセットする手順と下側カバー１０の各部の動作について説明する。
図７は、（ａ１）が下側カバー１０にコルゲートチューブＣをセットする前の状態を示した斜視図であり、（ａ２）が（ａ１）の状態を（Ａ）に示したＡ−Ａ線の断面位置で示した図であり、（ｂ１）が下側カバー１０の一対の弾性保持アーム２０、２０の間にコルゲートチューブＣが挿入された状態を示した斜視図であり、（ｂ２）が（ｂ１）の状態を（Ａ）に示したＡ−Ａ線の断面位置で示した図であり、（ｃ１）が下側カバー１０にコルゲートチューブＣをセット完了した状態を示した斜視図であり、（ｃ２）が（ｃ１）の状態を（Ａ）に示したＡ−Ａ線の断面位置で示した図である。
なお、図７は、下側カバー１０を見易くするため、コネクタハウジング１００およびコネクタハウジング１００から引き出される電線Ｗを図示していない。
【００４５】
まず、作業者は、コネクタハウジング１００から引き出された電線Ｗを収容したコルゲートチューブＣの端部を一対の弾性保持アーム２０、２０の間に押し込む（図７（ａ１）、（ａ２）、（ｂ１）、（ｂ２）参照）。
この作業では、コルゲートチューブＣの最外周面が一対の弾性保持アーム２０、２０の、チューブ固定突起２０ｂの頂点に接触されることによって一対の弾性保持アーム２０、２０の間隔を押し拡げながらチューブ載置壁１４に向けて移動される。
すなわち、一対の弾性保持アーム２０、２０によってコルゲートチューブＣがチューブ載置壁１４に向けて誘導される。
また、作業者は、コルゲートチューブＣの端面を位置決め壁１４ｃに突き当てつつ移動させることによって、電線Ｗの引き出し方向でのコルゲートチューブＣの位置決めがなされた状態でコルゲートチューブＣを移動させることができる。
【００４６】
作業者は、コルゲートチューブＣの端部をチューブ載置壁１４に載置することによって下側カバー１０にコルゲートチューブＣをセットする作業を完了する（図７（ｃ１）、（ｃ２）参照）。
この作業によって、コルゲートチューブＣの蛇腹形状の凹部にコルゲート係合突条部１４ｂおよびアーム側コルゲート係合突条部２０ａが嵌り、しかも、一対の弾性保持アーム２０、２０によって保持されるため、コルゲートチューブＣがチューブ連結部１３に安定的に保持される。
【００４７】
次に、図８および図９を用いて、下側カバー１０と上側カバー３０とを結合固定する手順とコネクタカバー１の各部の動作について説明する。
図８は、（ａ１）が上側カバー３０と下側カバー１０とを互いに係止する向きで向かい合わせた状態を示した斜視図であり、（ａ２）が（ａ１）の状態を（Ａ）に示したＡ−Ａ線の断面位置で示した図であり、（ａ３）が（ａ１）の状態を（Ｂ）に示したＢ−Ｂ線の断面位置で示した図であり、（ｂ１）が上側カバー１０を下側カバー１０に係止する向きに移動開始した状態を示した斜視図であり、（ｂ２）が（ｂ１）の状態を（Ａ）に示したＡ−Ａ線の断面位置で示した図であり、（ｂ３）が（ｂ１）の状態を（Ｂ）に示したＢ−Ｂ線の断面位置で示した図である。図９は、（ｃ１）が（ｂ１）の状態からさらに上側カバー３０を下側カバー１０に係止する向きに移動した状態を示した斜視図であり、（ｃ２）が（ｃ１）の状態を（Ａ）に示したＡ−Ａ線の断面位置で示した図であり、（ｃ３）が（ｃ１）の状態を（Ｂ）に示したＢ−Ｂ線の断面位置で示した図であり、（ｄ１）が上側カバー３０と下側カバー１０とを係止完了した状態を示した斜視図であり、（ｄ２）が（ｄ１）の状態を（Ａ）に示したＡ−Ａ線の断面位置で示した図であり、（ｄ３）が（ｄ１）の状態を（Ｂ）に示したＢ−Ｂ線の断面位置で示した図である。
なお、図８および図９は、下側カバー１０および上側カバー３０を見易くするため、コネクタハウジング１００およびコルゲートチューブＣを図示していない。
【００４８】
まず、作業者は、上側カバー３０と下側カバー１０とを互いに係止する向きで向かい合わせた状態で、上側カバー３０を下側カバー１０の開口１０ａに向けて移動開始する（図８（ａ１）、（ａ２）、（ａ３）参照）。
この作業によって、上側カバー３０が下側カバー１０の開口１０ａに近づくと、上側カバー３０のチューブ連結部３２に設けられた一対の係止アーム部３５、３５の間に下側カバー１０の一対の弾性保持アーム２０、２０が配置される（図８（ｂ１）、（ｂ２）、（ｂ３）参照）。このため、上側カバー３０が下側カバー１０に対して一対の弾性保持アーム２０、２０の並び方向にずれた状態で移動されると、弾性保持アーム２０に、係止アーム部３５の係止突起３５ａが接触し、係止アーム部３５の反力によって上側カバー３０と下側カバー１０とのずれが補正される。
【００４９】
作業者は、上側カバー３０を下側カバー１０との係止位置に向けてさらに移動する（図９（ｃ１）、（ｃ２）、（ｃ３）参照）。
この作業によって、上側カバー３０のチューブ連結部３２に設けられた一対の係止アーム部３５、３５の各係止突起３５ａが下側カバー１０の各係止突起１６にのり上げるように一対の係止アーム部３５、３５が間隔を拡げるように弾性的に撓む。
【００５０】
作業者は、上側カバー３０を下側カバー１０との係止完了位置に移動すると、下側カバー１０と上側カバー３０とが結合固定されるため、この作業を完了する（図９（ｄ１）、（ｄ２）、（ｄ３）参照）。
この作業によって、上側カバー３０のチューブ連結部３２に設けられた一対の係止アーム部３５、３５の各係止突起３５ａが下側カバー１０の各係止突起１６をのり越え、上側カバー３０と下側カバー１０とが係止される。
このように、上側カバー３０と下側カバー１０とが係止されると、一対の弾性保持アーム２０、２０の先端部が上側カバー３０の各アーム収容部４０内に収容される。
【００５１】
なお、この作業によって、上側カバー３０と下側カバー１０とは、コネクタハウジング１００の電線Ｗの引き出し側の端部およびコルゲートチューブＣの端部が挟み込むように組み付け完了される。
【００５２】
本発明の実施例１に係るコネクタカバー１は、下側カバー１０と上側カバー３０とが互いの係止部１６、１８、３５、３７を係止させて連結固定されることによって、下側カバー１０の一対の弾性保持アーム２０、２０がコルゲートチューブＣの両側部を保持するとともに、一対の弾性保持アーム２０、２０が上側カバー３０のアーム収容部４０に収容される。
これにより、本発明の実施例１に係るコネクタカバー１は、コルゲートチューブＣに引っ張り力が作用された場合、一対の弾性保持アーム２０、２０の電線Ｗの引き出し方向に直交する各側面２０ｃがアーム収容部４０の各側面２０ｃに対峙する面４０ａに突き当てられ、係止部１６、１８、３５、３７に負荷される引っ張り力を分散して吸収することができるので、コルゲートチューブＣに引っ張り力が作用した場合であっても、上下に分割されたカバーの係止部が損傷されることを防ぐことができる。
【００５３】
また、本発明の実施例１に係るコネクタカバー１は、一対の弾性保持アーム２０、２０が、コルゲートチューブＣの蛇腹形状の凹部に嵌るようにチューブ載置壁１４の内面に形成されたコルゲート係合突条部１４ｂに連続するように内面にアーム側コルゲート係合突条部２０ａが形成されている。
このため、本発明の実施例１に係るコネクタカバー１は、アーム側コルゲート係合突条部２０ａがコルゲートチューブＣを保持する機能をなすばかりでなく、一対の弾性保持アーム２０の剛性を高める機能、あるいは、アーム収容部４０に突き当てられる側面２０ｃとして機能させることができる。
【実施例２】
【００５４】
次に、図１０および図１１を用いて本発明の実施例２に係るコネクタカバー２について説明する。
図１０は、本発明の実施例２に係るコネクタカバー２の上側カバー３０と下側カバー１０とをコネクタハウジング１００の端部およびコルゲートチューブＣの端部を挟み込むように組み付ける前の状態を示した図である。図１１は、（ａ）が上側カバー３０の斜視図であり、（ｂ）が下側カバー１０の斜視図である。
【００５５】
本発明の実施例２に係るコネクタカバー２は、下側カバー１０のチューブ載置壁１４の両側壁１４ａ、１４ａの外面から一対の弾性保持アーム２０、２０の外面にかけて連続したリブ５０が形成されている点で、実施例１のコネクタカバー１と異なる。
なお、その他の構成は実施例１と同様であり、実施例１と同一構成部分には同一符号を付しその説明を省略する。
【００５６】
各リブ５０は、チューブ載置壁１４の一対の側壁１４ａ、１４ａのそれぞれの外面に設けられた係止突起１６の傾斜面１６ａ上から各弾性保持アーム２０、２０の外面にかけて連続した直線状に形成されている。
このリブ５０によって、一対の弾性保持アーム２０、２０の撓み変形量が抑えられるので、アーム側コルゲート係合突条部２０ａとコルゲートチューブＣの掛かり代を確実に確保することができるようになっている。
すなわち、コルゲートチューブＣが撓み、一対の弾性保持アーム２０、２０間に挿入され、アーム側コルゲート係合突条部２０ａが、コルゲートチューブＣの復元により蛇腹形状の凹部に嵌ることになる。
また、リブ５０によって、一対の弾性保持アーム２０、２０自体を変位させる力を抑え、コルゲートチューブＣを積極的に撓ますことができるため、コルゲートチューブＣの装着力を極力抑えることができるようになっている。
【００５７】
なお、この実施例２のコネクタカバー２は、上側カバー３０の一対の係止アーム部３５、３５の各係止突起３５ａ、３５ａにリブ５０が通過可能なスリット３５ｂが形成されている。
このスリット３５ｂは、一対の係止アーム部３５、３５の各係止突起３５ａ、３５ａがリブ５０にのり上げないようにする機能をなしている。
【００５８】
次に、図１２を用いて、下側カバー１０と上側カバー３０とを結合固定する手順とコネクタカバー２の各部の動作について説明する。
図１２は、（ａ１）が上側カバー３０と下側カバー１０とを互いに係止する向きで向かい合わせた状態を示した斜視図であり、（ａ２）が（ａ１）の状態を（Ａ）に示したＡ−Ａ線の断面位置で示した図であり、（ｂ１）が上側カバー３０を下側カバー１０に係止する向きに移動開始した状態を示した斜視図であり、（ｂ２）が（ｂ１）の状態を（Ａ）に示したＡ−Ａ線の断面位置で示した図であり、（ｃ１）が上側カバー３０と下側カバー１０とを係止完了した状態を示した斜視図であり、（ｃ２）が（ｃ１）の状態を（Ａ）に示したＡ−Ａ線の断面位置で示した図である。
なお、図１２は、下側カバー１０および上側カバー３０を見易くするため、コネクタハウジング１００およびコルゲートチューブＣを図示していない。
【００５９】
まず、作業者は、上側カバー３０と下側カバー１０とを互いに係止する向きで向かい合わせた状態に配置し（図１２（ａ１）、（ａ２）参照）、上側カバー３０を下側カバー１０の開口１０ａに向けて移動開始する（図１２（ｂ１）、（ｂ２）参照）。
この作業によって、上側カバー３０が下側カバー１０の開口１０ａに近づくと、上側カバー３０のチューブ連結部３２に設けられた一対の係止アーム部３５、３５の間に下側カバー１０の一対の弾性保持アーム２０、２０が配置される。このため、上側カバー３０が下側カバー１０に対して一対の弾性保持アーム２０、２０の並び方向にずれた状態で移動されると、弾性保持アーム２０に、係止アーム部３５の係止突起３５ａが接触し、係止アーム部３５の反力によって上側カバー３０と下側カバー１０とのずれが補正される。
【００６０】
作業者は、上側カバー３０を下側カバー１０との係止完了位置に移動すると、下側カバー１０と上側カバー３０とが結合固定されるため、この作業を完了する（図１２（ｃ１）、（ｃ２）参照）。
この作業によって、上側カバー３０のチューブ連結部３２に設けられた一対の係止アーム部３５、３５の各係止突起３５ａが下側カバー１０の各係止突起１６をのり越え、上側カバー３０と下側カバー１０とが係止される。
このように、上側カバー３０と下側カバー１０とが係止されると、一対の弾性保持アーム２０、２０の先端部が上側カバー３０の各アーム収容部４０内に収容される。
ここで、一対の弾性保持アーム２０、２０は、リブ５０によって撓み変形量が抑えられるので、アーム側コルゲート係合突条部２０ａとコルゲートチューブＣの掛かり代を確実に確保している。
【００６１】
本発明の実施例２に係るコネクタカバー２は、実施例１のコネクタカバー１と同様に、下側カバー１０と上側カバー３０とが互いの係止部１６、１８、３５、３７を係止させて連結固定されることによって、下側カバー１０の一対の弾性保持アーム２０、２０がコルゲートチューブＣの両側部を保持するとともに、一対の弾性保持アーム２０、２０が上側カバー３０のアーム収容部４０に収容される。
これにより、本発明の実施例２に係るコネクタカバー２は、コルゲートチューブＣに引っ張り力が作用された場合、一対の弾性保持アーム２０、２０の電線Ｗの引き出し方向に直交する各側面２０ｃがアーム収容部４０の各側面２０ｃに対峙する面４０ａに突き当てられ、係止部１６、１８、３５、３７に負荷される引っ張り力を分散して吸収することができるので、コルゲートチューブＣに引っ張り力が作用した場合であっても、上下に分割されたカバーの係止部が損傷されることを防ぐことができる。
【００６２】
また、実施例２に係るコネクタカバー２は、チューブ載置壁１４の両側壁１４ａ、１４ａの外面から一対の弾性保持アーム２０、２０の外面にかけて連続したリブ５０が形成されているので、一対の弾性保持アーム２０、２０の撓み変形量が抑えられ、アーム側コルゲート係合突条部２０ａとコルゲートチューブＣの掛かり代を確実に確保することができる。
【実施例３】
【００６３】
次に、図１３−図１５を用いて本発明の実施例３に係るコネクタカバー３について説明する。
図１３は、本発明の実施例３に係るコネクタカバー３の上側カバー３０と下側カバー１０とをコネクタハウジング１００の端部およびコルゲートチューブＣの端部を挟み込むように組み付ける前の状態を示した図である。図１４は、（ａ）が本発明の実施例３に係るコネクタカバー３の上側カバー３０と下側カバー１０とをコネクタハウジング１００の端部およびコルゲートチューブＣの端部を挟み込むように組み付けた状態の上面図であり、（ｂ）が（ａ）に示した図の下側カバー１０と下側カバー１０にセットされたコルゲートチューブＣのＢ−Ｂ線断面図である。図１５は、上側カバー３０の斜視図である。
【００６４】
本発明の実施例３に係るコネクタカバー３は、下側カバー１０の一対の弾性保持アーム６０、６０がチューブ載置壁１４に載置されたコルゲートチューブＣの外周面に対してチューブ載置壁１４の両側壁１４ａ、１４ａに比して間隔を拡大して設けられていること、および、上側カバー３０に一対の弾性保持アーム６０、６０とコルゲートチューブＣの外周面との間隔を狭めるように一対の弾性保持アーム６０、６０を内側に撓ませる一対の変位凸部７０、７０が設けられている点で、実施例１のコネクタカバー１と異なる。
なお、その他の構成は実施例１と同様であり、実施例１と同一構成部分には同一符号を付しその説明を省略する。
【００６５】
下側カバー１０は、図１４に示すように、一対の弾性保持アーム６０、６０がチューブ載置壁１４に載置されたコルゲートチューブＣの外周面に対してチューブ載置壁１４の両側壁１４ａ、１４ａに比して間隔を拡大して設けられている。
なお、一対の弾性保持アーム６０、６０は、内側に撓んだ場合にコルゲートチューブＣの外周面に追従するように円弧状に形成されている。
また、各弾性保持アーム６０、６０の先端部の外面には変位凸部７０によって弾性保持アーム６０が内側に撓むように押圧される部分となる押圧用凸部６０ａが突設されている。
【００６６】
また、下側カバー１０は、一対の弾性保持アーム６０、６０の内面に形成されたアーム側コルゲート係合突条部２０ａに一対の変位凸部７０、７０によって一対の弾性保持アーム６０、６０を内側に撓ませ易くするスリット８０が形成されている。
【００６７】
上側カバー３０は、図１５に示すように、一対の変位凸部７０、７０がアーム収容部４０の内面に設けられている。
【００６８】
次に、図１６を用いて、下側カバー１０にコルゲートチューブＣをセットする手順と下側カバー１０の各部の動作について説明する。
図１６は、（ａ１）が下側カバー１０にコルゲートチューブＣをセットする前の状態を示した斜視図であり、（ａ２）が（ａ１）の状態を（Ａ）に示したＡ−Ａ線の断面位置で示した図であり、（ｂ１）が下側カバー１０にコルゲートチューブＣをセット完了した状態を示した斜視図であり、（ｂ２）が（ｂ１）の状態を（Ｂ）に示したＢ−Ｂ線の断面位置で示した図である。
なお、図１６は、下側カバー１０を見易くするため、コネクタハウジング１００から引き出される電線Ｗを図示していない。
【００６９】
まず、作業者は、コネクタハウジング１００から引き出された電線Ｗを収容したコルゲートチューブＣの端部を一対の弾性保持アーム６０、６０の間に押し込む（図１６（ａ１）、（ａ２）参照）。
この作業では、コルゲートチューブＣが一対の弾性保持アーム６０、６０の間隔を押し拡げながらチューブ載置壁１４に向けて移動される。
【００７０】
ここで、一対の弾性保持アーム６０、６０がチューブ載置壁１４に載置されたコルゲートチューブＣの外周面に対してチューブ載置壁１４の両側壁１４ａ、１４ａに比して間隔を拡大して設けられているので、コルゲートチューブＣを一対の弾性保持アーム６０、６０の間に容易に挿入することができる。
【００７１】
作業者は、コルゲートチューブＣの端部をチューブ載置壁１４に載置することによって下側カバー１０にコルゲートチューブＣをセットする作業を完了する（図１６（ｂ１）、（ｂ２）参照）。
この作業によって、コルゲートチューブＣの蛇腹形状の凹部にコルゲート係合突条部１４ｂおよびアーム側コルゲート係合突条部２０ａが嵌り、しかも、一対の弾性保持アーム６０、６０によって保持されるため、コルゲートチューブＣがチューブ連結部３２に安定的に保持される。
【００７２】
次に、図１７を用いて、下側カバー１０と上側カバー３０とを結合固定する手順とコネクタカバー３の各部の動作について説明する。
図１７は、（ｃ１）が上側カバー３０を下側カバー１０に係止する向きに移動開始した状態を示した斜視図であり、（ｃ２）が（ｃ１）の状態を（Ｃ）に示したＣ−Ｃ線の断面位置で示した図であり、（ｄ１）が上側カバー３０と下側カバー１０とを係止完了した状態を示した斜視図であり、（ｄ２）が（ｄ１）の状態を（Ｄ）に示したＤ−Ｄ線の断面位置で示した図である。
【００７３】
まず、作業者は、上側カバー３０と下側カバー１０とを互いに係止する向きで向かい合わせた状態から、上側カバー３０を下側カバー１０の開口１０ａに向けて移動開始する（図１７（ｃ１）、（ｃ２）参照）。
この作業によって、上側カバー３０が下側カバー１０の開口１０ａに近づくと、上側カバー３０のチューブ連結部３２に設けられた一対の係止アーム部３５、３５の間に下側カバー１０の一対の弾性保持アーム６０、６０が配置される。このため、上側カバー３０が下側カバー１０に対して一対の弾性保持アーム６０、６０の並び方向にずれた状態で移動されると、弾性保持アーム６０に、係止アーム部３５の係止突起３５ａが接触し、係止アーム部３５の反力によって上側カバー３０と下側カバー１０とのずれが補正される。
【００７４】
作業者は、上側カバー３０を下側カバー１０との係止完了位置に移動すると、下側カバー１０と上側カバー３０とが結合固定されるため、この作業を完了する（図１７（ｄ１）、（ｄ２）参照）。
この作業によって、上側カバー３０のチューブ連結部３２に設けられた一対の係止アーム部３５、３５の各係止突起３５ａが下側カバー１０の各係止突起１６をのり越え、上側カバー３０と下側カバー１０とが係止される。
このように、上側カバー３０と下側カバー１０とが係止されると、一対の弾性保持アーム６０、６０の先端部が上側カバー３０のアーム収容部４０内に収容される。
【００７５】
ここで、上側カバー３０の一対の変位凸部７０、７０が一対の弾性保持アーム６０、６０に押圧されることによって、一対の弾性保持アーム６０、６０がコルゲートチューブＣの外周面との間隔を狭めるように内側に撓む。
より具体的には、一対の弾性保持アーム６０、６０の先端部に設けられた各押圧用凸部６０ａが、当接される位置に移動配置された一対の変位凸部７０、７０によって押圧されることによって、一対の弾性保持アーム６０、６０がコルゲートチューブＣの外周面に追従してコルゲートチューブＣの外周面との間隔を狭めるように内側に撓む。
【００７６】
このように一対の弾性保持アーム６０、６０が内側に撓むことによって、一対の弾性保持アーム６０、６０のそれぞれの内面に形成されたアーム側コルゲート係合突条部２０ａとコルゲートチューブＣとの掛かり代が増大され、コルゲートチューブＣがコネクタカバー３によって確実に保持される。
【００７７】
なお、アーム側コルゲート係合突条部２０ａにはスリット８０が形成されているので、一対の変位凸部７０、７０によって一対の弾性保持アーム６０、６０を内側に撓ませ易くなっている。
【００７８】
本発明の実施例３に係るコネクタカバー３は、実施例１のコネクタカバー１と同様に、下側カバー１０と上側カバー３０とが互いの係止部１６、１８、３５、３７を係止させて連結固定されることによって、下側カバー１０の一対の弾性保持アーム６０、６０がコルゲートチューブＣの両側部を保持するとともに、一対の弾性保持アーム６０、６０が上側カバー３０のアーム収容部４０に収容される。
これにより、本発明の実施例３に係るコネクタカバー３は、コルゲートチューブＣに引っ張り力が作用された場合、一対の弾性保持アーム６０、６０の電線Ｗの引き出し方向に直交する各側面２０ｃがアーム収容部４０の各側面２０ｃに対峙する面４０ａに突き当てられ、係止部１６、１８、３５、３７に負荷される引っ張り力を分散して吸収することができるので、コルゲートチューブＣに引っ張り力が作用した場合であっても、上下に分割されたカバーの係止部が損傷されることを防ぐことができる。
【００７９】
また、実施例３に係るコネクタカバー３は、一対の弾性保持アーム６０、６０が、チューブ載置壁１４に載置されたコルゲートチューブＣの外周面に対してチューブ載置壁１４の両側壁１４ａ、１４ａに比して間隔を拡大して設けられているので、コルゲートチューブＣを一対の弾性保持アーム６０、６０の間に容易に挿入することができる。
しかも、実施例３に係るコネクタカバー３は、上側カバー３０と下側カバー１０とが結合固定された状態で、上側カバー３０のアーム収容部４０の内面に設けられた一対の変位凸部７０、７０が一対の弾性保持アーム６０、６０に押圧することによって、一対の弾性保持アームをコルゲートチューブＣの外周面との間隔を狭めるように内側に撓ませることができる。
これにより、実施例３に係るコネクタカバー３は、一対の弾性保持アーム６０、６０のそれぞれの内面に形成されたアーム側コルゲート係合突条部２０ａとコルゲートチューブＣとの掛かり代を増大させ、コルゲートチューブＣをコネクタカバー３によって確実に保持することができる。
【００８０】
また、実施例３に係るコネクタカバー３は、アーム側コルゲート係合突条部２０ａにスリット８０が形成されているので、一対の変位凸部７０、７０によって一対の弾性保持アーム６０、６０を内側に撓ませ易くすることができる。
【００８１】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００８２】
１、２、３      コネクタカバー
１０            下側カバー
１０ａ          開口
１１            コネクタ連結部
１２            係止片部
１２ａ          係止溝
１３            チューブ連結部
１４            チューブ載置壁
１４ａ          側壁
１４ａａ        凹部
１４ｂ          コルゲート係合突条部
１４ｃ          位置決め壁
１５            チューブ収容本体部
１６            係止突起（係止部）
１６ａ          傾斜面
１７            中間部
１７ａ          底壁
１７ｂ          側壁
１７ｂｂ        凹部
１７ｃ          リブ収容部
１８            係止突起（係止部）
２０、６０      弾性保持アーム
２０ｃ          側面
２０ａ          アーム側コルゲート係合突条部
２０ｂ          チューブ固定突起
３０            上側カバー
３１            コネクタ連結部
３１ａ          片部
３２            チューブ連結部
３３            チューブ覆い壁
３３ａ          側壁
３３ｂ          コルゲート係合突条部
３４            チューブ覆い本体部
３５            係止アーム部（係止部）
３５ａ          係止突起
３５ｂ          スリット
３６            中間部
３６ａ          天井壁
３７            係止アーム部（係止部）
３７ａ          係止突起
３８            ガタ抑えリブ
４０            アーム収容部
４０ａ          面
５０            リブ
６０ａ          押圧用凸部
７０            変位凸部
８０            スリット
１００          コネクタハウジング
１１０          係止突起
Ｃ              コルゲートチューブ
Ｗ              電線
【図１】
2019050146.tif 000003
【図２】
2019050146.tif 000004
【図３】
2019050146.tif 000005
【図４】
2019050146.tif 000006
【図５】
2019050146.tif 000007
【図６】
2019050146.tif 000008
【図７】
2019050146.tif 000009
【図８】
2019050146.tif 000010
【図９】
2019050146.tif 000011
【図１０】
2019050146.tif 000012
【図１１】
2019050146.tif 000013
【図１２】
2019050146.tif 000014
【図１３】
2019050146.tif 000015
【図１４】
2019050146.tif 000016
【図１５】
2019050146.tif 000017
【図１６】
2019050146.tif 000018
【図１７】
2019050146.tif 000019
【図１８】
2019050146.tif 000020